(57)【要約】本発明は、物品の特徴量と、物品の物品情報とが関連付けられて記憶された物品情報データベースと、物品を装着した顧客の画像である装着画像から特徴量を抽出する特徴量抽出手段と、抽出された特徴量と、物品情報データベースに記憶されている特徴量とを照合し、顧客が装着している物品を識別する照合手段と、識別した物品の物品情報を、物品情報データベースから検索する物品情報検索手段と、検索された物品情報と装着画像とを、出力する出力制御手段とを有するデジタルサイネージシステムである。
2013147004.tif 000002
【特許請求の範囲】
【請求項１】
物品の特徴量と、前記物品の物品情報とが関連付けられて記憶された物品情報データベースと、
物品を装着した顧客の画像である装着画像から特徴量を抽出する特徴量抽出手段と、
前記抽出された特徴量と、前記物品情報データベースに記憶されている特徴量とを照合し、前記顧客が装着している物品を識別する照合手段と、
前記識別した物品の物品情報を、前記物品情報データベースから検索する物品情報検索手段と、
前記検索された物品情報と前記装着画像とを、出力する出力制御手段と
を有するデジタルサイネージシステム。
【請求項２】
前記出力制御手段は、前記装着画像を顧客の端末に送信する
請求項１に記載のデジタルサイネージシステム。
【請求項３】
前記照合手段は、前記顧客が装着している物品のサイズを識別し、
前記物品情報検索手段は、前記物品のサイズの在庫を、前記物品情報データベースから検索する
請求項１又は請求項２に記載のデジタルサイネージシステム。
【請求項４】
管理サーバが、前記物品情報データベースと、前記照合手段と、物品情報検索手段とを少なくとも有し、
デジタルサイネージが、前記特徴量抽出手段と、出力制御手段とを少なくとも有し、
前記デジタルサイネージが、前記抽出した物品の特徴量を、前記照合サーバに送信し、
前記管理サーバが、前記物品の特徴量に基づいて、前記物品情報を前記デジタルサイネージに送信する
請求項１から請求項３のいずれかに記載のデジタルサイネージシステム。
【請求項５】
前記装着画像と前記商品情報とを、前記管理サーバから前記顧客の端末に送信する
請求項４に記載のデジタルサイネージシステム。
【請求項６】
物品の特徴量と、前記物品の物品情報とが関連付けられて記憶された物品情報データベースと、
物品を装着した顧客の画像である装着画像から特徴量を抽出する特徴量抽出手段と、
前記抽出された特徴量と、前記物品情報データベースに記憶されている特徴量とを照合し、前記顧客が装着している物品を識別する照合手段と、
前記識別した物品の物品情報を、前記物品情報データベースから検索する物品情報検索手段と、
前記検索された物品情報と前記装着画像とを、出力する出力制御手段と
を有するデジタルサイネージ。
【請求項７】
物品の特徴量と、前記物品の物品情報とが関連付けられて記憶された物品情報データベースを有するデジタルサイネージシステムにおける物品情報提示方法であって、
物品を装着した顧客の画像である装着画像から特徴量を抽出し、
前記抽出された特徴量と、前記物品情報データベースに記憶されている特徴量とを照合し、前記顧客が装着している物品を識別し、
前記識別した物品の物品情報を、前記物品情報データベースから検索し、
前記検索された物品情報と前記装着画像とを出力する
物品情報提示方法。
【請求項８】
前記装着画像を顧客の端末に送信する
請求項７に記載の物品情報提示方法。
【請求項９】
前記顧客が装着している物品のサイズを識別し、識別した物品のサイズの在庫を、前記物品情報データベースから検索して出力する
請求項７又は請求項８に記載の物品情報提示方法。
【請求項１０】
物品の特徴量と、前記物品の物品情報とが関連付けられて記憶された物品情報データベースを有するコンピュータシステムのプログラムであって、
物品を装着した顧客の画像である装着画像から特徴量を抽出する処理と、
前記抽出された特徴量と、前記物品情報データベースに記憶されている特徴量とを照合し、前記顧客が装着している物品を識別する処理と、
前記識別した物品の物品情報を、前記物品情報データベースから検索する処理と、
前記検索された物品情報と前記装着画像とを出力する処理と
をコンピュータに実行させるプログラム。
【発明の詳細な説明】
【技術分野】
【０００１】
本発明は、デジタルサイネージシステム、デジタルサイネージ、物品情報提示方法及びプログラムに関する。
【背景技術】
【０００２】
液晶ディスプレイやプロジェクタなどのディスプレイを用いて広告を表示する広告媒体であるデジタルサイネージ（Digital Signage）が、様々な場所に設置され始めている。デジタルサイネージを用いることで、動画や音声を用いた豊かなコンテンツの提供が可能になるばかりか、デジタルサイネージの設置場所に応じた効率的な広告配信が可能になるため、今後，デジタルサイネージのマーケットの拡大が期待されている。【０００３】
ところで、商品を購入する場合は、いくつかの商品を試着して購入することが多い。そこで、試着した状態を比較するために、試着した自分の姿を自分自身で撮影できるようにすると共に、撮影した複数枚の画像を比較できるようにした発明が特許文献１に記載されている。【０００４】
特許文献１の発明は、被写体を検出するセンサーから検出信号を入力して、カメラにより撮像された画像をディスプレイの左画面及び右画面に動画表示する。操作部の左ボタン又は右ボタンが押下されて操作信号を入力して画像をディスプレイの左画面又は右画面に静止画表示する発明である。これにより、品物を試着した自分の姿を自分自身で容易に撮影でき、撮影した複数枚の画像から試着時の自分の姿を比較できる。
【先行技術文献】
【特許文献】
【０００５】
【特許文献１】特開２０１１−４０９５３号公報
【発明の概要】
【発明が解決しようとする課題】
【０００６】
一方、顧客は、試着している商品に関する商品情報、例えば、色やサイズ、在庫情報なども知りたいものである。【０００７】
しかしながら、特許文献１の発明は、試着画像を撮像できるが、そのままディスプレイに表示させるだけであり、その試着している商品の商品情報を表示することはできない。これは、試着している商品を識別する機能がないからである。【０００８】
また、顧客は、その場では購入せずに、検討してから後日購入するケースも多い。そのような場合に、商品を試着した自分の姿の試着画像が手元にあれば、検討もし易くなる。更に、試着画像に加え、その商品の商品情報もあれば、より便利である。【０００９】
更に、デジタルサイネージも単なる広告表示手段としての機能以外の他の機能が待ち望まれていた。【００１０】
そこで、本発明は上記課題に鑑みて発明されたものであって、その目的は、顧客の商品購入のための物品情報を、利便性良く提供することができるデジタルサイネージシステム、デジタルサイネージ、物品情報提示方法及びプログラムを提供することにある。
【課題を解決するための手段】
【００１１】
本発明は、物品の特徴量と、前記物品の物品情報とが関連付けられて記憶された物品情報データベースと、物品を装着した顧客の画像である装着画像から特徴量を抽出する特徴量抽出手段と、前記抽出された特徴量と、前記物品情報データベースに記憶されている特徴量とを照合し、前記顧客が装着している物品を識別する照合手段と、前記識別した物品の物品情報を、前記物品情報データベースから検索する物品情報検索手段と、前記検索された物品情報と前記装着画像とを、出力する出力制御手段とを有するデジタルサイネージシステムである。【００１２】
本発明は、物品の特徴量と、前記物品の物品情報とが関連付けられて記憶された物品情報データベースと、物品を装着した顧客の画像である装着画像から特徴量を抽出する特徴量抽出手段と、前記抽出された特徴量と、前記物品情報データベースに記憶されている特徴量とを照合し、前記顧客が装着している物品を識別する照合手段と、前記識別した物品の物品情報を、前記物品情報データベースから検索する物品情報検索手段と、前記検索された物品情報と前記装着画像とを、出力する出力制御手段とを有するデジタルサイネージである。【００１３】
本発明は、物品の特徴量と、前記物品の物品情報とが関連付けられて記憶された物品情報データベースを有するデジタルサイネージシステムにおける物品情報提示方法であって、物品を装着した顧客の画像である装着画像から特徴量を抽出し、前記抽出された特徴量と、前記物品情報データベースに記憶されている特徴量とを照合し、前記顧客が装着している物品を識別し、前記識別した物品の物品情報を、前記物品情報データベースから検索し、前記検索された物品情報と前記装着画像とを出力する物品情報提示方法である。【００１４】
本発明は、物品の特徴量と、前記物品の物品情報とが関連付けられて記憶された物品情報データベースを有するコンピュータシステムのプログラムであって、物品を装着した顧客の画像である装着画像から特徴量を抽出する処理と、前記抽出された特徴量と、前記物品情報データベースに記憶されている特徴量とを照合し、前記顧客が装着している物品を識別する処理と、前記識別した物品の物品情報を、前記物品情報データベースから検索する処理と、前記検索された物品情報と前記装着画像とを出力する処理とをコンピュータに実行させるプログラムである。
【発明の効果】
【００１５】
本発明は、撮影された顧客の装着画像からその顧客が装着している物品を認識することができるため、顧客の物品購入のための物品情報を、利便性良く提供することができる。
【図面の簡単な説明】
【００１６】
【図１】図１は本実施の形態におけるデジタルサイネージシステムの構成図である。
【図２】図２は本実施例におけるデジタルサイネージ１の外観図である。
【図３】図３はデジタルサイネージ１の構成図である。
【図４】図４は物品情報データベース１０の一例を示した図である。
【図５】図５は顧客情報データベースの一例を示した図である。
【図６】図６は本実施例の動作を説明する図である。
【図７】図７は本実施例の動作を説明する図である。
【図８】図８は本実施例の動作を説明する図である。
【図９】図９は本実施例の動作を説明する図である。
【図１０】図１０は本実施例の動作を説明する図である。
【図１１】図１１は本実施例の動作を説明する図である。
【図１２】図１２は本発明の他の実施例の構成図である。
【図１３】図１３は本発明の他の実施例の構成図である。
【図１４】図１４は本発明の他の実施例の構成図である。
【発明を実施するための形態】
【００１７】
本発明の実施の形態を説明する。
【００１８】
本実施の形態は、衣服やアクセサリー等の物品を装着した顧客の装着画像から装着した物品を識別する。そして、識別した物品の物品情報と装着画像とを、顧客に提供するデジタルサイネージに関するものである。
【００１９】
図１は、本実施の形態におけるデジタルサイネージシステムの構成図である。
【００２０】
図１に示す如く、デジタルサイネージシステムは、物品情報データベース１０と、特徴量抽出部１１と、照合部１２と、物品情報検索部１３と、出力制御部１４とを備える。
【００２１】
物品情報データベース１０は、デジタルサイネージが設置されている店舗や、チェーン店全体で扱っている物品に関する情報のデータベースである。
【００２２】
特徴量抽出部１１は、カメラで撮像された顧客の装着画像から顧客の装着した物品の特徴量を抽出するものである。
【００２３】
照合部１２は、特徴量抽出部１１で抽出された特徴量と、物品情報データベース１０に記憶されている物品の特徴量とを照合し、装着画像中の物品を識別する。
【００２４】
物品情報検索部１３は、照合部１２で識別された物品に対応する物品情報を、物品情報データベース１０から検索する。そして、その検索した物品情報を、出力制御部１４に出力する。
【００２５】
出力制御部１４は、装着画像と物品情報とをディスプレイ等の出力手段に出力する。尚、装着画像と物品情報とを、顧客の端末（例えば、携帯電話やスマートフォン）に送信しても良い。
【００２６】
以上の如く、本実施の形態は、顧客の装着画像からその顧客が装着している物品を認識することができるため、顧客の物品購入のための物品情報を、利便性良く提供することができる。
【００２７】
次に、本発明の実施例を説明する。尚、以下の説明において、理解を容易にするために、物品の例として、業者（店舗）が現在扱っている商品を例にして説明する。
【００２８】
図２は、本実施例におけるデジタルサイネージ１の外観図である。
【００２９】
図２に示すように、デジタルサイネージ１は、店舗等などに設置され、ディスプレイ２を用いて、通常は広告映像を表示する。また、デジタルサイネージ１には、広告映像を再生するディスプレイ２の他に、顧客が衣服等を装着（試着）した状態の装着画像を撮像するカメラ３が設けられている。
【００３０】
図２はデジタルサイネージ１の構成図である。
【００３１】
図２に示す如く、デジタルサイネージ１は、ディスプレイ２と、カメラ３と、物品情報データベース１０と、特徴量抽出部１１と、照合部１２と、物品情報検索部１３と、出力制御部１４と、装着画像登録部１５と、通信部１８と、顧客情報データベース１９とを備える。
【００３２】
物品情報データベース１０は、デジタルサイネージ１が設置されている店舗や、チェーン店全体で扱っている商品に関する情報のデータベースである。具体的には、物品情報データベース１０は、商品特徴量テーブル１０１と、商品情報管理テーブル１０２とを有する。
【００３３】
商品特徴量テーブル１０１は、商品を識別する商品識別情報と、その商品の画像特徴量とが関連付けられて記憶されたテーブルである。
【００３４】
商品情報管理テーブル１０２は、前記商品識別情報と、その商品に関する商品情報とが関連付けられて記憶されたテーブルである。ここで、商品情報とは、その商品の色の種類、サイズのみならず、在庫情報、アピールポイント等を含んでも良い。
【００３５】
図４は物品情報データベース１０の一例を示した図である。図４に示される商品特徴量テーブル１０１では、商品識別情報とその商品の特徴量とが関連付けられて記憶されており、例えば、商品識別情報“商品Ａ”と特徴量“特徴量Ａ”とが関連付けられている。また、商品情報管理テーブル１０２では、商品識別情報と、その商品の商品情報とが関連付けられて記憶されており、例えば、商品識別情報“商品Ａ”と、商品情報“商品情報Ａ”とが関連付けられている。
【００３６】
尚、本実施の形態では、物品情報データベース１０を、商品特徴量テーブル１０１と、商品情報管理テーブル１０２との２つで構成したが、これに限定されるものではない。例えば、商品特徴量と、商品情報とを関連付けて、ひとつのテーブルで構成するようにしても良い。
【００３７】
特徴量抽出部１１は、カメラ３で撮像された顧客の装着画像から顧客の装着した商品の特徴量を抽出するものである。画像からの特徴量の抽出方法を容易にするためには、画像中の物品が予め定められた位置で撮像されることが好ましいが、店舗などに設置されるデジタルサイネージでは難しい。そこで、画像内の顧客が装着した商品を、撮影サイズや角度の変化、オクルージョンに対して頑健に識別可能とするために、画像内の特徴的な点（特徴点）を多数検出し、各特徴点周辺の局所領域の特徴量（局所特徴量）を抽出する。その代表的な方式として、特許文献（米国特許第６７１１２９３号明細書）や、非特許文献（David G. Lowe著、「Distinctive image features from scale-invariant keypoints」、International Journal of Computer Vision、60(2)、2004年、p. 91-110）には、ＳＩＦＴ（Ｓｃａｌｅ  Ｉｎｖａｒｉａｎｔ  Ｆｅａｔｕｒｅ  Ｔｒａｎｓｆｏｒｍ）特徴量を用いる局所特徴量抽出装置が開示されている。また、特徴量のデータサイズを小さくする方法としては、画像内の特徴点を検出し、各特徴点に対する局所領域を取得し、各局所領域を複数のサブ領域に分割し、各局所領域内のサブ領域ごとに複数次元の特徴ベクトルを生成し、各局所領域内のサブ領域の位置関係に基づいて、近接するサブ領域の特徴ベクトル間の相関が低くなるようにサブ領域ごとに前記特徴ベクトルから次元を選定し、選定された次元の要素を局所領域の特徴量とすることが考えられる。
【００３８】
照合部１２は、特徴量抽出部１１で抽出された特徴量と、物品情報データベース１０の商品特徴量テーブル１０１に記憶されている商品の特徴量とを照合し、カメラ３で撮像された装着画像中の商品を識別する。尚、本実施例では、装着画像中の商品の種類の識別のみならず、例えば、“Ｓ”、“Ｍ”、“Ｌ”といったその商品のサイズも識別する。そして、特徴量が一致する商品識別情報を、物品情報検索部１３に出力する。
【００３９】
物品情報検索部１３は、照合部１２から商品識別情報を受信し、その商品識別情報に対応する商品情報を、商品情報管理テーブル１０２から検索する。そして、その検索した商品情報を、装着画像登録部１５に出力する。
【００４０】
顧客情報データベース１９は、顧客の識別情報や、その氏名、年齢、住所などの顧客情報が登録されたデータベースである。更に、顧客情報データベース１９は、上述した装着画像と商品情報とを、その顧客の顧客情報と関連付けて登録できるように、装着画像が登録されるフィールドと商品情報が登録されるフィールドとを備えている。図５は顧客情報データベース１９の一例を示した図である。図５では、顧客識別情報と、氏名と、年齢と、住所と、装着画像と、商品情報とが関連付けて登録されている。
【００４１】
装着画像登録部１５は、カメラ３が撮影した顧客の装着画像（顧客が商品を試着している画像）と物品情報検索部１３で検索された商品情報とを、その顧客の顧客情報に関連付けて顧客情報データベース１９に登録する。尚、顧客識別情報は、顧客の装着（試着）時に、装着画像登録部１５がデジタルサイネージ１のディスプレイに顧客情報を入力する画面を表示し、顧客に顧客識別情報を入力してもらうことにより取得する。
【００４２】
出力制御部１４は、表示制御部１６と通信制御部１７とを有する。
【００４３】
表示制御部１６は、カメラ３で撮像した顧客の装着画像をディスプレイ２に表示すると共に、物品情報検索部１３で検索された装着（試着）している商品の商品情報を表示する制御を行う。また、通常時の広告やイベントの告知等をディスプレイ２に表示する制御も行うものである。
【００４４】
通信部制御部１７は、入力された顧客識別情報に関連付けられた装着画像と商品情報とを、顧客情報データベース１４から検索し、その装着画像と商品情報とを通信部１８に出力する。
【００４５】
通信部１８は、通信により、顧客の端末（例えば、携帯電話やスマートフォン）に装着画像を送信する。尚、通信方式は、非接触型のBluetooth（ブルートゥース）（登録商標）等の通信方式や、顧客のメールアドレスが判れば、メールに装着画像及び商品情報を添付して送信するようにしても良い。
【００４６】
次に、上述した構成における本実施の形態の具体的な動作を説明する。尚、以下の説明において、物品情報データベース１０は図４に、顧客情報データベース１９は図５に、それぞれ示された内容のものとする。
【００４７】
デジタルサイネージ１は試着室などに設置され、図６に示す如く、通常時、例えば、顧客がデジタルサイネージ１に前に立っていない場合には、商品の広告や、イベントの告知などがディスプレイ２に表示される。
【００４８】
顧客がデジタルサイネージ１に前の前に立つと、顔認識等により、人であることを認識し、図７に示すように、カメラ３から撮像された顧客の画像がディスプレイ２に表示される。また、顧客が希望する衣服を装着（試着）している間、撮影開始のタッチパネルがディスプレイ２に表示される。
【００４９】
図８に示す如く、装着（試着）が完了して、顧客が撮影開始のタッチパネルを押下すると、カメラ３による顧客の装着画像の撮影が開始される。
【００５０】
続いて、カメラ３で撮像された顧客の装着画像から、特徴量抽出部１１により、装着（試着）した商品の特徴量が抽出される。本例では、抽出できた顧客の装着（試着）した商品の特徴量が、“特徴量Ａ”とする。
【００５１】
照合部１２は、特徴量抽出部１１で抽出された“特徴量Ａ”に対応する商品識別情報を、商品特徴量テーブル１０１から検索する。本例では、図４の商品特徴量テーブル１０１から、特徴量“特徴量Ａ”に対応する商品識別情報は“商品Ａ”である。
【００５２】
続いて、物品情報検索部１３は、照合部１２から商品識別情報を受信し、その商品識別情報に対応する商品情報を、商品情報管理テーブル１０２から検索する。本例では、照合部１２からの商品識別情報は“商品Ａ”であるので、“商品Ａ”に関連する商品情報として“商品情報Ａ”を検索する。そして、物品情報検索部１３は、検索した商品情報を装着画像登録部１５と出力制御部１６とに出力する。本例では、検索した商品情報は“商品情報Ａ”であるので、“商品情報Ａ”を装着画像登録部１５と出力制御部１６とに出力する。
【００５３】
出力制御部１６は、カメラ３で撮影された装着画像と装着（試着）している商品の商品情報とを、ディスプレイ２に表示する。図９は、装着画像と、装着（試着）している商品の商品情報Ａとがディスプレイ２に表示された状態を示した図である。
【００５４】
所定時間が経過すると、図１０に示す如く、顧客識別情報を取得するために、顧客識別情報を入力させるためのタッチパネルが表示される。そして、顧客により、顧客識別情報が入力されると、その顧客識別情報は、装着画像登録部１５及び通信制御部１７に送信される。尚、本例では、顧客によって入力された顧客識別情報を“１１２２”とする。
【００５５】
装着画像登録部１５は、カメラ３で撮影された装着画像と、物品情報検索部１３から受信した商品情報とを、顧客によって入力された顧客識別情報に対応する、顧客情報データベース１４の装着画像のフィールド及び商品情報のフィールドとに登録する。本例では、顧客識別情報を“１１２２”のレコードの装着画像のフィールドにカメラ３で撮影された装着画像Ａを登録し、商品情報のフィールドに“商品情報Ａ”を登録する。
【００５６】
通信制御部１７は、顧客情報データベース１４から顧客識別情報に対応する装着画像とその商品情報とを読み出し、通信部１８に出力する。本例では、顧客識別情報が“１１２２”であるので、顧客情報データベース１４から“装着画像Ａ”と“商品情報Ａ”とを読み出し、通信部１８に出力する。
【００５７】
通信部１８は、通信制御部１７から受信した装着画像と商品情報とを、顧客の端末に送信する。本例では、通信部１８は、“装着画像Ａ”と“商品情報Ａ”とを、顧客の端末に送信する。図１１は顧客の端末に送信された装着画像と装着（試着）した商品の商品情報との一例を示す。
【００５８】
以上の如く、本実施の形態のデジタルサイネージ１は、撮影された顧客の装着画像からその顧客が装着（試着）している商品を識別し、自動的に装着している商品の商品情報を表示する。よって、顧客は装着（試着）している商品に関する商品情報を知ることができる。
【００５９】
更に、その装着画像と商品情報とを顧客の端末に送信できるようにしているので、顧客がその商品を後日購入するときの参考になる。特に、後日店頭を訪れて商品情報を表示する際に、サイズ別の店頭在庫データベースを参照し、所望のサイズの在庫があるかどうかを通知することもできる。尚、商品のサイズは、上述したように特徴量により識別しても良いし、顧客が商品情報として指定するようにしても良い。これらの情報は、顧客情報として顧客情報データベース１９に登録される。また、顧客カード等を発行する店舗であれば、顧客カードに記録するようにしても良い。
【００６０】
また、後日、顧客がその商品を購入する際に装着画像を提示した場合、その顧客に対して割引等の特典を与える等のイベントにも用いることができる。
【００６１】
尚、本実施の形態では、装着画像とその装着（試着）した商品の商品情報とを顧客の端末に送信したが、装着画像のみでもかまわない。
【００６２】
更に、上記実施の形態及び実施例は一例であって、本発明を逸脱しない範囲で変更することができる。例えば、本実施例では、物品情報データベース１０と、特徴量抽出部１１と、照合部１２と、物品情報検索部１３と、顧客情報データベース１９と、装着画像登録部１５とを、デジタルサイネージ１の内部にある構成としたが、それらの一部又は全部を外部のサーバ等に配置しても良い。図１２にその一例を示す。
【００６３】
図１２の例では、特徴量の抽出、照合、商品情報及び装着画像登録処理行う管理サーバ２０を有し、管理サーバ２０は通信部２１により、デジタルサイネージ１と接続されている。そして、顧客の端末への装着画像及び商品情報の送信は、管理サーバ２０からメール等により行われる。
【００６４】
上記の構成の利点は、特徴量の抽出や照合、商品情報検索処理といった負荷のかかる処理をサーバに行わせることにより、デジタルサイネージ１の処理の負荷の軽減を図れることにある。また、多数のデジタルサイネージ１を、ネットワーク２３を介して管理サーバ２０と接続することにより、在庫等の商品情報を管理サーバ２０で一元管理することができ、顧客が訪れた店舗のみならず、他の店舗の情報を反映した商品情報を顧客に提供することができる。
【００６５】
また、図１３のように、デジタルサイネージ１において、特徴量抽出部１１により、装着画像から特徴量を抽出し、抽出した特徴量と顧客情報とを、管理サーバ２０に送信しても良い。そして、管理サーバ２０は、照合、商品情報及び装着画像登録処理行う。
【００６６】
本構成の利点は、デジタルサイネージ１から送信するものが顧客の画像データではなく、特徴量なので、送信するデータ量が少なく、また、顧客が直接写っている画像ではないので、顧客の個人情報を保護する観点からも好ましい。
【００６７】
次に、他の実施の形態を説明する。
【００６８】
他の実施の形態は、本デジタルサイネージシステムと、ソーシャルネットワークとを連携させたものである。
【００６９】
図１４は他の実施の形態の構成図である。
【００７０】
図１４に示す如く、デジタルサイネージ１と、管理サーバ２０と、ＳＮＳシステム３０と、顧客の端末４０とが、ネットワーク２３を介して接続されている。
【００７１】
顧客の端末４０は、顧客の端末４０に送信された装着画像を、顧客の友人・恋人等の端末に送信したり、ＳＮＳに掲載できる。
【００７２】
また、店舗側が提供するアプリケーションやWebサイトを利用することで、顧客の友人・恋人に、例えば、「これとこれ  どっちがいい？」「どう？似合う？」などと装着画像への感想を質問できたり、顧客の友人・恋人などが顧客から前述の質問をされた際や、質問が無くても顧客が装着画像を掲載した場合に、「いいね／イマイチ」等の感想を回答できる。
【００７３】
このように、ＳＮＳや、店舗側が提供するアプリケーションやWebサイトと連携することで、友人のコメントで購入を後押ししてもらえたり、商品の評判（顧客の友人から顧客に宛てた生の反応）を店舗側は収集したりすることができる。
【００７４】
また、他の利用方法として、顧客ではなく、顧客の友人や、恋人が、その装着画像の商品を、装着画像をキーに店舗が用意したシステムに提示することで商品を指定し、顧客のために買ってあげることができる。その際に顧客自身が既にその商品を購入したのにその友人が同じものをさらに購入しプレゼントしてしまったり、ある友人と他の友人がそれぞれ同じ商品を買ってあげてしまった、などの重複した購入を防ぐ事ができる。
【００７５】
例えば、店舗側で装着画像又は装着画像の特徴量に関連付けてその商品の購買情報、例えば、その商品が既に購入済みでないかを情報を、顧客情報データベース１９に登録しておく。このようにすれば、装着画像を送付された友人は、その商品が既に購入済みであるかを知ることができ、その商品を重複なく、顧客に購入してあげることができる。
【００７６】
また、商品を購入した友人から顧客（本人）に、装着画像の商品を購入したことを、メール等の手段を用いて通知するようにしても良い。
【００７７】
このとき、装着画像の商品を購入したことを証明するため、装着画像の上に、買ってもらえた事を示す購入済みマークを重畳し、顧客の端末上で表示できるようにする。方法としては、アプリケーションで、顧客端末内の映像にマーク重畳して表示しても良いし、重畳映像を電子メール等で顧客に送信しても良い。一方、店舗側システムでも装着画像と購入済みマークとの合成画像を生成し、購入済みマーク付きの装着画像の特徴量を抽出して保存しておくことで、顧客が、顧客端末上に提示した購入済みマーク付き装着画像を店舗システムに読み取らせ、保存されている特徴量と照合することにより、正規の購入済みマーク付き装着画像であることを認証でき、顧客は購入してもらった商品を受け取ることができる。
【００７８】
このようにすれば、顧客（本人）は、店舗に行き、端末上の通知を提示することで、その商品を受け取ることができる。
【００７９】
なお、店舗は実際に商品を陳列し、対面販売する店舗であっても良いし、店舗が提供するアプリケーションやWebサイト上の仮想店舗であってもよい。仮想店舗の場合は商品の受け取りの際に宅配便等を利用した通信販売を選択できても良い。
【００８０】
以上で本発明の実施の形態の説明を終わるが、上述した説明からも明らかなように、各部をハードウェアで構成してもよいし、コンピュータプログラムにより実現してもよい。この場合、プログラムメモリに格納されているプログラムで動作するプロセッサによって、上述した各実施の形態と同様の機能、動作を実現させる。また、上述した実施の形態の一部の機能のみをコンピュータプログラムにより実現してもよい。
【００８１】
また、上記の実施形態の一部又は全部は、以下の付記のようにも記載されうるが、以下には限られない。
【００８２】
（付記１）  物品の特徴量と、前記物品の物品情報とが関連付けられて記憶された物品情報データベースと、
物品を装着した顧客の画像である装着画像から特徴量を抽出する特徴量抽出手段と、
前記抽出された特徴量と、前記物品情報データベースに記憶されている特徴量とを照合し、前記顧客が装着している物品を識別する照合手段と、
前記識別した物品の物品情報を、前記物品情報データベースから検索する物品情報検索手段と、
前記検索された物品情報と前記装着画像とを、出力する出力制御手段と
を有するデジタルサイネージシステム。
【００８３】
（付記２）  前記出力制御手段は、前記装着画像を顧客の端末に送信する
付記１に記載のデジタルサイネージシステム。
【００８４】
（付記３）  前記照合手段は、前記顧客が装着している物品のサイズを識別し、
前記物品情報検索手段は、前記物品のサイズの在庫を、前記物品情報データベースから検索する
付記１又は付記２に記載のデジタルサイネージシステム。
【００８５】
（付記４）  管理サーバが、前記物品情報データベースと、前記照合手段と、物品情報検索手段とを少なくとも有し、
デジタルサイネージが、前記特徴量抽出手段と、出力制御手段とを少なくとも有し、
前記デジタルサイネージが、前記抽出した物品の特徴量を、前記照合サーバに送信し、
前記管理サーバが、前記物品の特徴量に基づいて、前記物品情報を前記デジタルサイネージに送信する
付記１から付記３のいずれかに記載のデジタルサイネージシステム。
【００８６】
（付記５）  前記装着画像と前記商品情報とを、前記管理サーバから前記顧客の端末に送信する
付記４に記載のデジタルサイネージシステム。
【００８７】
（付記６）  物品の特徴量と、前記物品の物品情報とが関連付けられて記憶された物品情報データベースと、
物品を装着した顧客の画像である装着画像から特徴量を抽出する特徴量抽出手段と、
前記抽出された特徴量と、前記物品情報データベースに記憶されている特徴量とを照合し、前記顧客が装着している物品を識別する照合手段と、
前記識別した物品の物品情報を、前記物品情報データベースから検索する物品情報検索手段と、
前記検索された物品情報と前記装着画像とを、出力する出力制御手段と
を有するデジタルサイネージ。
【００８８】
（付記７）  物品の特徴量と、前記物品の物品情報とが関連付けられて記憶された物品情報データベースを有するデジタルサイネージシステムにおける物品情報提示方法であって、
物品を装着した顧客の画像である装着画像から特徴量を抽出し、
前記抽出された特徴量と、前記物品情報データベースに記憶されている特徴量とを照合し、前記顧客が装着している物品を識別し、
前記識別した物品の物品情報を、前記物品情報データベースから検索し、
前記検索された物品情報と前記装着画像とを出力する
物品情報提示方法。
【００８９】
（付記８）  前記装着画像を顧客の端末に送信する
付記７に記載の物品情報提示方法。
【００９０】
（付記９）  前記顧客が装着している物品のサイズを識別し、識別した物品のサイズの在庫を、前記物品情報データベースから検索して出力する
付記７又は付記８に記載の物品情報提示方法。
【００９１】
（付記１０）  物品の特徴量と、前記物品の物品情報とが関連付けられて記憶された物品情報データベースを有するコンピュータシステムのプログラムであって、
物品を装着した顧客の画像である装着画像から特徴量を抽出する処理と、
前記抽出された特徴量と、前記物品情報データベースに記憶されている特徴量とを照合し、前記顧客が装着している物品を識別する処理と、
前記識別した物品の物品情報を、前記物品情報データベースから検索する処理と、
前記検索された物品情報と前記装着画像とを出力する処理と
をコンピュータに実行させるプログラム。
【００９２】
（付記１１）  前記装着画像を顧客の端末に送信する処理をコンピュータに実行させる
付記１０に記載のプログラム。
【００９３】
（付記１２）  前記顧客が装着している物品のサイズを識別し、識別した物品のサイズの在庫を、前記物品情報データベースから検索して出力する処理をコンピュータに実行させる
付記１０又は付記１１に記載のプログラム。
【００９４】
以上、実施の形態をあげて本発明を説明したが、本発明は必ずしも上記実施の形態に限定されるものではなく、その技術的思想の範囲内において様々に変形し実施してもよい。また、各実施の形態を適宜組み合わせて実施してもよい。
【００９５】
本出願は、２０１２年３月３０日に出願された日本出願特願２０１２−０７９０８２号を基礎とする優先権を主張し、その開示の全てをここに取り込む。
【符号の説明】
【００９６】
１      デジタルサイネージ
２      ディスプレイ
３      カメラ
１０    物品情報データベース
１１    特徴量抽出部
１２    照合部
１３    物品情報検索部
１４    出力制御部
１５    装着画像登録部
１６    表示制御部
１７    通信制御部
１８    通信部
１９    顧客情報データベース
２０    管理サーバ
２１    通信部
２３    ネットワーク
３０    ＳＮＳシステム
４０    端末
【図１】
2013147004.tif 000003
【図２】
2013147004.tif 000004
【図３】
2013147004.tif 000005
【図４】
2013147004.tif 000006
【図５】
2013147004.tif 000007
【図６】
2013147004.tif 000008
【図７】
2013147004.tif 000009
【図８】
2013147004.tif 000010
【図９】
2013147004.tif 000011
【図１０】
2013147004.tif 000012
【図１１】
2013147004.tif 000013
【図１２】
2013147004.tif 000014
【図１３】
2013147004.tif 000015
【図１４】
2013147004.tif 000016
【国際調査報告】
2013147004.tif 000017
2013147004.tif 000018
2013147004.tif 000019
2013147004.tif 000020